(57)【要約】【課題】不正行為を防止しつつ、郵券代の問題やメールの問題を解消することができる情報処理装置とそのプログラム、及び、携帯端末とそのプログラムを提供する。【解決手段】ＰＯＳレジ２０は、携帯電話機１０ごとの審査情報を記憶する記憶手段と、携帯電話機１０からＩＤｍを取得する取得手段と、取得手段が取得したＩＤｍに対応する審査情報を選択する選択手段と、選択手段が選択した審査情報を、取得手段が取得したＩＤｍに基づいて携帯電話機１０に送信する送信手段とを備える。ユーザーは、ＰＯＳレジ２０に携帯電話機１０をかざせば、審査情報を確認することができる。【選択図】図１
2008234393.tif 000002
【特許請求の範囲】
【請求項１】
携帯端末ごとの審査情報を記憶する記憶手段と、
前記携帯端末から識別情報を取得する取得手段と、
前記取得手段が取得した識別情報に対応する前記審査情報を選択する選択手段と、
前記選択手段が選択した審査情報を、前記取得手段が取得した識別情報に基づいて前記携帯端末に送信する送信手段と、
を備える情報処理装置。
【請求項２】
請求項１に記載の情報処理装置において、
時刻情報を生成する時刻情報生成手段と、
前記時刻情報生成手段が生成した時刻情報に基づいて、前記審査情報を更新する更新手段とを備えること、
を特徴とする情報処理装置。
【請求項３】
請求項１に記載の情報処理装置において、
この情報処理装置は、他の情報処理装置と通信可能であり、
前記他の情報処理装置から送信されてきた審査情報に基づいて、この情報処理装置の審査情報を更新する更新手段を備えること、
を特徴とする情報処理装置。
【請求項４】
請求項１から請求項３までのいずれか１項に記載の情報処理装置において、
前記取得手段が識別情報を取得した場合に、サービスポイントを算出する算出手段を備えること、
を特徴とする情報処理装置。
【請求項５】
携帯端末ごとの審査情報を記憶する記憶手段を備える情報処理装置に、
前記携帯端末から識別情報を取得する取得手順と、
前記取得手順で取得した識別情報に対応する前記審査情報を選択する選択手順と、
前記選択手順で選択した審査情報を、前記取得手順で取得した識別情報に基づいて前記携帯端末に送信する送信手順と、
を実行させる情報処理装置のプログラム。
【請求項６】
審査情報を記憶する記憶手段と、
前記記憶手段に記憶されている審査情報を、時刻情報又は外部からの審査情報に基づいて更新する更新手段と、
前記審査情報の告知を行う告知手段と、
を備える携帯端末。
【請求項７】
審査情報を記憶する記憶手段を備える携帯端末に、
前記記憶手段に記憶されている審査情報を、時刻情報又は外部からの審査情報に基づいて更新する更新手順と、
前記審査情報の告知を行う告知手順と、
を実行させる携帯端末のプログラム。
【発明の詳細な説明】
【技術分野】
【０００１】
本発明は、所定の情報を処理する情報処理装置とそのプログラム、及び、携帯端末とそのプログラムに関するものである。
【背景技術】
【０００２】
従来、会員獲得キャンペーンでは、申込みをしただけで商品券などがもらえるケースがある。この場合、申込む意思がなくても（嘘の申込み情報を書いても）、商品券などをもらうことができてしまう可能性があった。
また、クレジットカード会社が提供しているおサイフケータイ（登録商標）を利用した決済サービス（例えば、特許文献１）では、会員申込受付をした後に、はがき又はメールなどで非会員に対して会員登録完了の通知をしなければならない。
しかし、はがきでは、郵券代がかかるという問題があり、メールでは、メールアドレスの入力ミスやドメイン拒否などの問題によって会員登録完了の通知が正常に行えない恐れがあった。
【特許文献１】特開２００３−１５０８７６号公報
【発明の開示】
【発明が解決しようとする課題】
【０００３】
本発明の課題は、不正行為を防止しつつ、郵券代の問題やメールの問題を解消することができる情報処理装置とそのプログラム、及び、携帯端末とそのプログラムを提供することである。
【課題を解決するための手段】
【０００４】
本発明は、以下のような解決手段により、前記課題を解決する。なお、理解を容易にするために、本発明の実施例に対応する符号を付して説明するが、これに限定されるものではない。
請求項１の発明は、携帯端末（１０）ごとの審査情報を記憶する記憶手段（２１）と、前記携帯端末（１０）から識別情報を取得する取得手段（２２）と、前記取得手段（２２）が取得した識別情報に対応する前記審査情報を選択する選択手段（２３）と、前記選択手段（２３）が選択した審査情報を、前記取得手段が（２２）取得した識別情報に基づいて前記携帯端末（１０）に送信する送信手段（２２）と、を備える情報処理装置（２０）である。
請求項２の発明は、請求項１に記載の情報処理装置（２０）において、時刻情報を生成する時刻情報生成手段（２４）と、前記時刻情報生成手段（２４）が生成した時刻情報に基づいて、前記審査情報を更新する更新手段（２５）とを備えること、を特徴とする情報処理装置（２０）である。
請求項３の発明は、請求項１に記載の情報処理装置において、この情報処理装置は、他の情報処理装置と通信可能であり、前記他の情報処理装置から送信されてきた審査情報に基づいて、この情報処理装置の審査情報を更新する更新手段を備えること、を特徴とする情報処理装置である。
請求項４の発明は、請求項１から請求項３までのいずれか１項に記載の情報処理装置（２０）において、前記取得手段（２２）が識別情報を取得した場合に、サービスポイントを算出する算出手段（２６）を備えること、を特徴とする情報処理装置（２０）である。
請求項５の発明は、携帯端末（１０）ごとの審査情報を記憶する記憶手段（２１）を備える情報処理装置（２０）に、前記携帯端末（１０）から識別情報を取得する取得手順（Ｓ３０２）と、前記取得手順（Ｓ３０２）で取得した識別情報に対応する前記審査情報を選択する選択手順と、前記選択手順で選択した審査情報を、前記取得手順（Ｓ３０２）で
取得した識別情報に基づいて前記携帯端末（１０）に送信する送信手順（Ｓ３０４）と、を実行させる情報処理装置のプログラムである。
請求項６の発明は、審査情報を記憶する記憶手段（１１−２）と、前記記憶手段（１１−２）に記憶されている審査情報を、時刻情報又は外部からの審査情報に基づいて更新する更新手段（１５）と、前記審査情報の告知を行う告知手段（１３）と、を備える携帯端末（１０−２）である。
請求項７の発明は、審査情報を記憶する記憶手段（１１−２）を備える携帯端末（１０−２）に、前記記憶手段（１１−２）に記憶されている審査情報を、時刻情報又は外部からの審査情報に基づいて更新する更新手順と、前記審査情報の告知を行う告知手順と、を実行させる携帯端末のプログラムである。
【発明の効果】
【０００５】
本発明によれば、以下のような効果がある。
（１）携帯端末から取得した識別情報に基づいて処理を行うので、嘘の申込み情報を書いて申込みを行うような不正行為を防止することができる。また、そのような不正行為を防止できるので、無駄な会員獲得キャンペーンがなくなる。
（２）情報処理装置は、携帯端末から取得した識別情報に基づいてその場で審査情報を携帯端末に送信するので、はがきやメールを利用しないで、会員登録の完了の告知をすることができる。
【０００６】
（３）時刻情報に基づいて審査情報を更新するので、情報処理装置側で簡単に審査情報を更新することができる。
（４）他の情報処理装置から送信されてきた審査情報に基づいて、この情報処理装置の審査情報を更新するので、審査情報をリアルタイムに更新することができる。
【０００７】
（５）サービスポイントを算出する算出手段を備えるので、ユーザーは、自分の携帯端末を何度も情報処理装置にかざしてみたくなり、集客率を向上させることができる。
（６）審査情報を自ら更新させて、その審査情報の告知を行う携帯端末としたので、携帯端末で処理を完結させることができ、大掛かりなシステムは必要なくなる。
【発明を実施するための最良の形態】
【０００８】
以下、図面等を参照して、本発明の実施例について、さらに詳しく説明する。
【実施例１】
【０００９】
図１は、会員カード発行システムの実施例１を示す図であり、図２は、携帯電話機１０及びＰＯＳ（ｐｏｉｎｔ  ｏｆ  ｓａｌｅ）レジ２０の詳細を示す図である。
実施例１の会員カード発行システム１００は、携帯電話機（携帯端末）１０と、ＰＯＳレジ（情報処理装置）２０と、ポイントサブＤＢ（データベース）３０と、携帯アプリＤＬ（ダウンロード）サーバ４０と、パーソナライズサーバ５０と、会員ＤＢ６０などとを備える。
【００１０】
携帯電話機１０は、ＦｅｌｉＣａチップ（「ＦＥＬＩＣＡ」は登録商標）を備えるＩＣカードが装着されたおサイフケータイである。
また、携帯電話機１０は、図２に示すように、記憶手段１１と、通信手段１２と、表示手段１３とを備える。
記憶手段１１は、ＦｅｌｉＣａチップに設けられ、この携帯電話機１０を識別するためのＩＤｍ（識別情報、ＦｅｌｉＣａチップのＩＤ）を記憶する部分である。
通信手段１２は、ＰＯＳレジ２０の通信手段２２と非接触式で通信を行う部分である。
表示手段１３は、審査情報を表示する部分であり、例えば、ディスプレイなどである。ここで、審査情報とは、クレジットの審査に関する情報であり、例えば、「審査は残り３
日で終了します。」、「審査は終了しました。」などの情報である。
【００１１】
ＰＯＳレジ２０は、販売時に販売活動に関する情報処理を行うレジであり、決済処理やポイント付加処理を行う決済／ポイント端末を搭載しており、記憶手段２１と、通信手段２２と、選択手段２３と、時刻情報生成手段２４と、更新手段２５と、算出手段２６とを備える。
記憶手段２１は、携帯電話機１０ごとの審査情報を記憶する部分である。
通信手段２２は、携帯電話機１０の通信手段１２と非接触式で通信を行う部分である。
また、通信手段２２は、携帯電話機１０からＩＤｍを取得する取得手段と、後述する選択手段２３が選択した審査情報を携帯電話機１０に送信する送信手段とを兼用している。
選択手段２３は、通信手段２２が取得したＩＤｍに対応する審査情報を、記憶手段２１から選択する部分である。
時刻情報生成手段２４は、時刻情報を生成する部分である。
更新手段２５は、時刻情報生成手段２４が生成した時刻情報に基づいて、審査情報を更新する部分であり、例えば、初期設定で審査残日数が５日に設定されている場合には、１日過ぎたら、審査情報の審査残日数を１減算する。
算出手段２６は、通信手段２２がＩＤｍを取得した場合に、ポイント（サービスポイント）を算出する部分である。
なお、携帯電話機１０及びＰＯＳレジ２０の各手段の機能は、各装置に記憶されているプログラムを各装置のＣＰＵが実行することによって実現される。
【００１２】
図１に示すように、ポイントサブＤＢ３０は、各店舗に配置され、ＰＯＳレジ２０が取得したＩＤｍと、ＰＯＳレジ２０が算出したポイントとを紐付けて記憶するデータベースである。
携帯アプリＤＬサーバ４０は、専用の携帯アプリケーション（会員証アプリケーション；以下、携帯アプリという。）４１を記憶しているサーバである。
また、携帯アプリＤＬサーバ４０は、携帯電話機１０にダウンロードされた携帯アプリ４１から、ＩＤ（申込書８０に記載されているＩＤ）とＩＤｍとを利用してエントリーされた場合に、そのＩＤとＩＤｍとを紐付けて記憶するＤＢ４２を備える。
パーソナライズサーバ５０は、携帯アプリ４１からＩＤとＰＳＷ（パスワード）とＩＤｍとを利用して認証要求をされた場合に認証を行うサーバであり、認証に成功した場合には、携帯電話機１０にクレジット情報とポイントとを送信する。
【００１３】
会員ＤＢ６０は、クレジットＤＢ６１と、ポイントサブＤＢ６２と、マスターＤＢ６３とを備える。
クレジットＤＢ６１は、審査部門７０で審査を通過したＩＤとＰＳＷとに、クレジット情報を加えて記憶するデータベースである。
ポイントサブＤＢ６２は、各店舗に設置されているポイントサブＤＢ３０と同様の内容を記憶しているデータベースである。
マスターＤＢ６３は、ＤＢ４２とクレジットＤＢ６１とポイントサブＤＢ６２とに記憶されている内容を、ＩＤとＩＤｍとでデータマッチングさせて記憶しているデータベースであり、その内容をパーソナライズサーバ５０に登録する。
【００１４】
次に、会員カード発行システム１００の動作を大まかに説明する。
まず、非会員であれば、クレジット会員申込みを行う（＃１）。
ついで、申込書８０にＰＳＷを記入して（＃２）、その申込書８０を審査部門７０に渡す（＃３）。
そして、申込書８０に記載されているＵＲＬ（Ｕｎｉｆｏｒｍ  Ｒｅｓｏｕｒｃｅ  Ｌｏｃａｔｏｒ）を用いて携帯アプリＤＬサーバ４０に接続し、携帯アプリ４１をダウンロードする（＃４）。
そして、審査期間中に、ＩＤとＩＤｍとを用いて、携帯アプリＤＬサーバ４０にエントリーする（＃５）。
審査が終わって発行処理が完了すれば、クレジット会員になることができる（＃６）。
【００１５】
会員となれば、携帯電話機１０の携帯アプリでパーソナライズサーバ５０にアクセスできるようになり、そこでの認証に成功すれば、クレジット情報とポイントとが取得でき、完全に登録が完了する（＃７）。
【００１６】
図３は、携帯電話機１０及びＰＯＳレジ２０の状態の変化を示す図である。
（非会員の場合）
非会員の場合は、携帯電話機１０をＰＯＳレジ２０へかざすだけである。
ポイントは、ホスト側（ＰＯＳレジ２０側のポイントサブＤＢ３０）に蓄積され、携帯電話機１０には何も残らない。
携帯電話機１０では、蓄積ポイントなどの状況は、確認できない。
一方、ＰＯＳレジ２０は、携帯電話機１０からＩＤｍのみを読み取る。
ＩＤｍと付与したポイントとをホスト側へ送信する。
【００１７】
（会員登録中の場合）
会員登録中の場合は、申込書８０に必要事項を記入した後に、携帯アプリ４１をダウンロードする。
ポイント付与方法については、非会員のときと同様である。
ただし、ＰＯＳレジ２０へ携帯電話機１０をかざすたびに、三者間通信（携帯電話機１０、Ｆｅｌｉｃａチップ、ＰＯＳレジ２０での通信）の機能により携帯アプリ４１が起動される。
また、Ｆｅｌｉｃａチップ内の会員証データエリアには、審査完了日が記憶され、携帯画面（表示手段１３）には、携帯アプリ４１によって、審査完了予定日が表示される。
一方、ＰＯＳレジ２０でのポイント付与方法は、非会員の場合と同様である。ＰＯＳレジ２０は、ＩＤｍ読み取り後に、三者間通信で携帯アプリ４１を起動させ、携帯アプリ４１に審査完了予定日を表示させる。
【００１８】
（会員の場合）
会員の場合は、会員が審査完了日の画面を確認し、会員情報発行手続を行い、決済及びポイント付与がされる。
また、三者間通信によって、取引ごとに携帯画面に利用履歴が表示される。
さらに、Ｆｅｌｉｃａチップ内の会員証データエリアには、会員データ、利用履歴、ポイントデータなどが記憶される。
一方、ＰＯＳレジ２０では、正規会員として取引処理され、三者間通信で携帯アプリ４１を起動させ、携帯アプリ４１に利用履歴、ポイント情報などを表示させる。
【００１９】
図４〜図６は、会員カード発行システム１００の動作を詳細に説明する図である。会員カード発行システム１００では、「告知（Ｓ１００）」、「募集（Ｓ２００）」、「審査（Ｓ３００）」、「発行（Ｓ４００）」、「取得（Ｓ５００）」の工程を経るので、以下、この順に説明する。
【００２０】
［告知（Ｓ１００）］
まず、店舗２では、携帯電話機１０の所持者に対してキャンペーンを行う（Ｓ１０１、Ｓ１０２）。
ついで、ユーザー１は、ＰＯＳレジ２０に携帯電話機１０をかざし、ＩＤｍがＰＯＳレジ２０に送信される（Ｓ１０３）。ＰＯＳレジ２０は、携帯電話機１０からＩＤｍを取得し、ポイント（キャンペーン権利）を付与する（Ｓ１０４）。
クレジットカード会社３では、ＩＤｍとポイントとを紐付けて記憶し、情報集計を行う（Ｓ１０５）。
【００２１】
［募集（Ｓ２００）］
店舗２では、ＩＤとＵＲＬとを記載した申込書８０を用意して、会員を募集する（Ｓ２０１）。
ユーザー１は、申込み手続きを行う（Ｓ２０２）。
クレジットカード会社３では、申込書８０に基づいて審査を行い、ＩＤと個人情報とを紐付けて記憶する（Ｓ２０３）。
ユーザー１は、申込書８０に記載されているＵＲＬに従って携帯アプリＤＬサーバ４０に接続し（Ｓ２０４）、携帯アプリ４１をダウンロードする（Ｓ２０５）。
ユーザー１は、携帯アプリ４１を起動し、キャンペーンにエントリーする。このとき、ＩＤとＰＳＷとを入力し、ＩＤｍとＩＤとＰＳＷとが送信される。
ダウンロードセンター４では、ＩＤｍとＩＤとＰＳＷとを紐付けて記憶する。
【００２２】
［審査（Ｓ３００；図５参照）］
ユーザー１は、ＰＯＳレジ２０に携帯電話機１０をかざし、ＩＤｍがＰＯＳレジ２０に送信される（Ｓ３０１）。ＰＯＳレジ２０は、ＩＤｍを取得し、ポイントを付与する（Ｓ３０２）。
クレジットカード会社３では、ＩＤｍとポイントとを紐付けて記憶し、情報集計を行う（Ｓ３０３）。
ＰＯＳレジ２０は、三者間通信によって、携帯電話機１０の携帯アプリ４１を起動させ、審査完了日を告知する（Ｓ３０４）。
携帯電話機１０の携帯アプリ４１は、表示手段１３に審査完了日を表示させる（Ｓ３０５）。審査中は、同様の処理が繰り返される（Ｓ３０６）。
一方、クレジットカード会社３で審査が完了すると（Ｓ３０７）、クレジットデータが生成され、ＩＤｍとＩＤとクレジットデータとポイントとが紐付けられる（Ｓ３０８）。
これらのデータは、ダウンロードセンター４に送信され（Ｓ３０９）、ＰＳＷが付加されて発行用データが生成される（Ｓ３１０）。
【００２３】
［発行（Ｓ４００）］
ユーザー１は、ＩＤとＰＳＷを入力して（ＰＳＷは入力しなくてもよい）、パーソナライズ処理を行う（Ｓ４０１）。
ダウンロードセンター４において、ＩＤｍとＩＤとＰＳＷによる認証が行われる（Ｓ４０２）。認証に成功すれば、発行処理が行われ（Ｓ４０３）、携帯電話機１０にクレジット情報とポイント情報とが送信され、発行完了となる（Ｓ４０４）。
【００２４】
［取得（Ｓ５００；図６参照）］
ユーザー１は、携帯アプリ４１を起動し、情報配信リクエストのための空メール送信をする（Ｓ５０１）。
ダウンロードセンター４では、空メールを受け付け、ユーザー１のメールアドレスを取得する（Ｓ５０２）。
ダウンロードセンター４は、ユーザー１のメールアドレスに対して、イベント情報などの情報配信を行う（Ｓ５０３）。
ユーザー１は、メールを受信し、イベント情報を取得することができる（Ｓ５０４）。
【００２５】
このように、実施例１によれば、以下のような効果がある。
（１）携帯電話機１０のＦｅｌｉＣａチップから取得したＩＤｍに基づいて処理を行うので、嘘の申込み情報を書いて申込みを行うような不正行為を防止することができる。また、そのような不正行為を防止できるので、無駄な会員獲得キャンペーンがなくなる。
（２）ＰＯＳレジ２０は、携帯電話機１０のＦｅｌｉＣａチップから取得したＩＤｍに基づいてその場で審査情報を携帯電話機１０に送信するので、はがきやメールを利用しないで、会員登録の完了の告知をすることができる。
（３）時刻情報に基づいて審査情報を更新するので、ＰＯＳレジ２０側で簡単に審査情報を更新することができる。
（４）ポイントを算出する算出手段２６を備えるので、ユーザーは、自分の携帯電話機１０を何度もＰＯＳレジ２０にかざしてみたくなり、集客率を向上させることができる。
【実施例２】
【００２６】
図７は、携帯電話機の実施例２を示す図である。
なお、前述した実施例１と同様な機能を果たす部分には、同一の符号又は末尾に統一した符号を付して、重複する説明や図面を適宜省略する。
実施例２の携帯電話機１０−２は、記憶手段１１−２と、時刻情報生成手段１４と、更新手段１５と、表示手段（告知手段）１３とを備える。
記憶手段１１−２は、審査情報を記憶する部分である。
時刻情報生成手段１４は、時刻情報を生成する部分である。
更新手段１５は、記憶手段１１−２に記憶されている審査情報を、時刻情報生成手段１４が生成した時刻情報に基づいて更新する部分である。更新方法は、実施例１と同様であり、例えば、初期設定で審査残日数が５日に設定されている場合には、１日過ぎたら、審査情報の審査残日数を１減算する。
表示手段１３は、記憶手段１１−２に記憶されている審査情報の表示を行う部分である。
なお、携帯電話機１０−２の各手段の機能は、携帯電話機１０−２に記憶されているプログラムを携帯電話機１０−２のＣＰＵが実行することによって実現される。
【００２７】
このように、実施例２によれば、審査情報を自ら更新させて、その審査情報の告知を行う携帯電話機１０−２としたので、携帯電話機１０−２で処理を完結させることができ、大掛かりなシステムは必要なくなる。
【００２８】
（変形例）
以上説明した実施例に限定されることなく、種々の変形や変更が可能であって、それらも本発明の範囲内である。
（１）実施例１では、時刻情報に基づいて審査情報を更新する例で説明したが、他のサーバなどから送信されてきた審査情報に基づいて、ＰＯＳレジ２０の審査情報を更新してもよい（更新手段）。また、実施例２でも、外部からの審査情報に基づいて審査情報を更新してもよい。この場合は、インターネットなどの通信手段によって取得した審査情報で、記憶手段１１−２に記憶されている審査情報を上書きする。このようにすれば、審査情報をリアルタイムに更新することができる。
（２）審査情報は、表示する例で説明したが、音声などによって告知してもよい。
（３）情報処理装置は、ＰＯＳレジ２０の例で説明したが、審査情報告知用の専用端末であってもよい。
【図面の簡単な説明】
【００２９】
【図１】会員カード発行システムの実施例１を示す図である。
【図２】携帯電話機１０及びＰＯＳレジ２０の詳細を示す図である。
【図３】携帯電話機１０及びＰＯＳレジ２０の状態の変化を示す図である。
【図４】会員カード発行システム１００の動作を詳細に説明する図である。
【図５】会員カード発行システム１００の動作を詳細に説明する図である。
【図６】会員カード発行システム１００の動作を詳細に説明する図である。
【図７】携帯電話機の実施例２を示す図である。
【符号の説明】
【００３０】
１０、１０−２  携帯電話機（携帯端末）
１１、１１−２、２１  記憶手段
１２、２２  通信手段
１３  表示手段（告知手段）
１５、２５  更新手段
２０  ＰＯＳレジ（情報処理装置）
２３  選択手段
１４、２４  時刻情報生成手段
２６  算出手段
３０  ポイントサブＤＢ
４０  携帯アプリＤＬサーバ
５０  パーソナライズサーバ
６０  会員ＤＢ
７０  審査部門
８０  申込書
１００  会員カード発行システム
【図１】
2008234393.tif 000003
【図２】
2008234393.tif 000004
【図３】
2008234393.tif 000005
【図４】
2008234393.tif 000006
【図５】
2008234393.tif 000007
【図６】
2008234393.tif 000008
【図７】
2008234393.tif 000009